(57)【要約】【課題】誤動作を抑制可能な駆動装置、制御方法、及びプログラムを提供する。【解決手段】電子表示媒体を駆動する駆動装置であって、前記駆動装置を制御する制御部と、電力を発電する自己発電部と、前記自己発電部によって発電された電力を蓄積して前記駆動装置に電力を供給する蓄電部と、前記蓄電部により蓄積された電力の電圧が所定値まで上昇した場合に、前記制御部のリセットを解除して動作を開始させるリセット部と、前記制御部からの指示により、前記電子表示媒体を駆動する駆動部と、を有する。【選択図】図６
2018189918.tif 000002
【特許請求の範囲】
【請求項１】
電子表示媒体を駆動する駆動装置であって、
前記駆動装置を制御する制御部と、
電力を発電する自己発電部と、
前記自己発電部によって発電された電力を蓄積して前記駆動装置に電力を供給する蓄電部と、
前記蓄電部により蓄積された電力の電圧が所定値まで上昇した場合に、前記制御部のリセットを解除して動作を開始させるリセット部と、
前記制御部からの指示により、前記電子表示媒体を駆動する駆動部と、
を有する駆動装置。
【請求項２】
前記駆動部による前記電子表示媒体への駆動が終了した後に、前記制御部からの指示により、前記蓄電部に蓄積された電力を放電する放電部を有する請求項１に記載の駆動装置。
【請求項３】
前記駆動部は、２値駆動信号を所定期間出力することによって前記電子表示媒体を駆動し、前記所定期間において、２値の電圧が交互に印加されるように２値駆動信号を出力する請求項１または２に記載の駆動装置。
【請求項４】
駆動装置を制御する制御部と、電力を発電する自己発電部と、前記自己発電部によって発電された電力を蓄積して駆動装置に電力を供給する蓄電部と、前記制御部のリセットを解除するリセット部と、電子表示媒体を駆動する駆動部と、を備えた、電子表示媒体を駆動する駆動装置の制御方法であって、
前記リセット部が、前記蓄電部により蓄積された電力の電圧が所定値まで上昇した場合に、前記制御部のリセットを解除して動作を開始させるステップと、
前記制御部が、前記駆動部に前記電子表示媒体への駆動を指示するステップと、
を有する制御方法。
【請求項５】
駆動装置を制御する制御部と、電力を発電する自己発電部と、前記自己発電部によって発電された電力を蓄積して前記駆動装置に電力を供給する蓄電部と、前記蓄電部により蓄積された電力の電圧が所定値まで上昇した場合に、前記制御部のリセットを解除して動作を開始させるリセット部と、電子表示媒体を駆動する駆動部と、前記蓄電部に蓄積された電力を放電する放電部と、を備えた、電子表示媒体を駆動する駆動装置のコンピュータに、
前記制御部が、前記駆動部に前記電子表示媒体への駆動を指示するステップと、
前記制御部が、前記駆動部による前記電子表示媒体への駆動が終了した後に前記放電部に電力の放電を指示するステップと、
を実行させるためのプログラム。
【発明の詳細な説明】
【技術分野】
【０００１】
本発明は、駆動装置、制御方法、及びプログラムに関する。
【背景技術】
【０００２】
従来より、電気泳動表示素子を用いた表示パネル等、電子表示媒体に関する技術が提案されている（例えば、特許文献１参照）。特許文献１に開示された技術では、電磁誘導によって非接触で発生された電源により、マイコンやドライバＩＣに電力が供給される。
【先行技術文献】
【特許文献】
【０００３】
【特許文献１】特許第５９３５５３６号公報
【発明の概要】
【発明が解決しようとする課題】
【０００４】
上記電磁誘導や環境発電等の自己発電による電力の供給は不安定となることが多い。そのため、自己発電による電力によって電子表示媒体を駆動する駆動装置が誤動作する可能性があった。
【０００５】
本発明は、上記問題を解決すべくなされたもので、その目的は、電力の供給が不安定な場合であっても、誤動作を抑制可能な駆動装置、制御方法、及びプログラムを提供することにある。
【課題を解決するための手段】
【０００６】
上記問題を解決するために、本発明の一態様は、電子表示媒体を駆動する駆動装置であって、前記駆動装置を制御する制御部と、電力を発電する自己発電部と、前記自己発電部によって発電された電力を蓄積して前記駆動装置に電力を供給する蓄電部と、前記蓄電部により蓄積された電力の電圧が所定値まで上昇した場合に、前記制御部のリセットを解除して動作を開始させるリセット部と、前記制御部からの指示により、前記電子表示媒体を駆動する駆動部と、を有する。
【０００７】
また、本発明の一態様は、前記駆動部による前記電子表示媒体への駆動が終了した後に、前記制御部からの指示により、前記蓄電部に蓄積された電力を放電する放電部を有する。
【０００８】
また、本発明の一態様は、前記駆動部は、２値駆動信号を所定期間出力することによって前記電子表示媒体を駆動し、前記所定期間において、２値の電圧が交互に印加されるように２値駆動信号を出力する。
【０００９】
上述した課題を解決する本発明の一態様は、駆動装置を制御する制御部と、電力を発電する自己発電部と、前記自己発電部によって発電された電力を蓄積して駆動装置に電力を供給する蓄電部と、前記制御部のリセットを解除するリセット部と、電子表示媒体を駆動する駆動部と、を備えた、電子表示媒体を駆動する駆動装置の制御方法であって、前記リセット部が、前記蓄電部により蓄積された電力の電圧が所定値まで上昇した場合に、前記制御部のリセットを解除して動作を開始させるステップと、前記制御部が、前記駆動部に前記電子表示媒体への駆動を指示するステップと、を有する。
【００１０】
上述した課題を解決する本発明の一態様は、駆動装置を制御する制御部と、電力を発電する自己発電部と、前記自己発電部によって発電された電力を蓄積して前記駆動装置に電力を供給する蓄電部と、前記蓄電部により蓄積された電力の電圧が所定値まで上昇した場合に、前記制御部のリセットを解除して動作を開始させるリセット部と、電子表示媒体を駆動する駆動部と、前記蓄電部に蓄積された電力を放電する放電部と、を備えた、電子表示媒体を駆動する駆動装置のコンピュータに、前記制御部が、前記駆動部に前記電子表示媒体への駆動を指示するステップと、前記制御部が、前記駆動部による前記電子表示媒体への駆動が終了した後に前記放電部に電力の放電を指示するステップと、を実行させるためのプログラムである。
【発明の効果】
【００１１】
本発明によれば、電力の供給が不安定な場合であっても、誤動作を抑制可能で、使い勝手を向上させることが可能な駆動装置、制御方法、及びプログラムを提供することができる。
【図面の簡単な説明】
【００１２】
【図１】本実施形態による駆動装置の概略構成を示す図である。
【図２】電子ペーパーの動作原理を説明するための断面図である。
【図３】ドライバＩＣが出力する駆動信号の波形を示す図である。
【図４】新たな画像への切り替え例を示す図である。
【図５】駆動処理の一例を示すフローチャートである。
【図６】発電が行われてから電力が放電されるまでのタイミングチャートを示す図である。
【発明を実施するための形態】
【００１３】
以下、本発明の一実施形態による駆動装置について、図面を参照して説明する。
【００１４】
図１は、本実施形態による駆動装置１００の概略構成を示す図である。
図１において、駆動装置１００は、電子ペーパー２００を駆動する。電子ペーパー２００の画素は、白色及び黒色の２色を表現可能である。駆動装置１００は、スイッチ１０、発電部２０、コンデンサ３０、制御部４０、不揮発性メモリ５０、ドライバＩＣ６０、リセット回路７０、放電回路８０、及びＧＮＤ９０で構成される。
図１において、スイッチ１０から発電部２０への矢印を除く実線矢印は、アナログ（電源）系の出力を示し、破線矢印はデジタル系の出力を示す。
【００１５】
スイッチ１０は、電子ペーパー２００に表示される画像を書き換える契機となる操作が行われる操作部である。本実施形態では、一例として、１つのスイッチとし、当該スイッチを押すごとに電子ペーパー２００に表示される画像が切り替わるものとする。具体的に、電子ペーパー２００に表示される画像は１〜５の数字である。
【００１６】
電子ペーパー２００に表示されている画像が、１〜４のときにスイッチ１０が１回操作されると、それぞれ２〜５に画像が切り替わる。画像５のときにスイッチ１０が１回操作されると、画像は１に切り替わる。こうした駆動装置１００と電子ペーパー２００の組合せは、例えば５段階の調整を行うことが可能な電子機器において、現在の調整段階を表示する装置として利用することができる。
【００１７】
スイッチ１０が操作されたことは、破線矢印に示されるように、制御部４０に通知される。発電部２０は、スイッチ１０への操作によって電力を発電する。発電部２０は、スイッチ１０の動きによって、例えば電磁誘導や圧電素子により電圧を発生させる。すなわち、スイッチ１０が操作されるときの運動エネルギーを利用して、発電することができる。発電された電力は、コンデンサ３０に出力される。コンデンサ３０は、発電された電力を蓄積し、駆動装置１００に供給する。蓄積された電力は、実線矢印に示されるように、リセット回路７０、制御部４０、不揮発性メモリ５０及びドライバＩＣ６０に供給される。また、蓄積された電力は、ドライバＩＣ停止後に、放電回路８０により放電される。
【００１８】
制御部４０は、不図示のＣＰＵ（Central Processing Unit）及び記憶装置を含み、記憶装置に記憶されたプログラムに従って処理を実行する。制御部４０は、コンデンサ３０から供給された電力によって起動する。制御部４０は、電子ペーパー２００に表示される画像を新たな画像に書き換える際に、まず不揮発性メモリ５０から電子ペーパー２００に現在表示されている画像を示す画像情報（以下、「現画像情報」ともいう）を読み取り、ドライバＩＣ６０に入力する。また、制御部４０は、新たな画像を示す画像情報（以下、「新画像情報」ともいう）をドライバＩＣ６０に入力する。新画像情報は、スイッチ１０が押された回数に応じて決められる。
さらに制御部４０は、新画像情報を不揮発性メモリ５０に記憶する。制御部４０は、不揮発性メモリ５０に新画像情報の記憶が完了した後に、ドライバＩＣ６０に駆動信号の出力を指示する。これにより、電子ペーパー２００に表示された画像が書き換わると、不揮発性メモリ５０に記憶された新画像情報は、現画像情報となる。
不揮発性メモリ５０は、例えば、フラッシュメモリや、ＦＲＡＭ（登録商標：強誘電体メモリ）である。不揮発性メモリ５０は、上述した画像情報等を記憶する。
【００１９】
ドライバＩＣ６０は、コントローラ機能と昇圧回路とを備え、電子ペーパー２００に対し、所定の駆動波形を出力する。本実施形態においては、２Ｖ前後の電源電圧を＋１５Ｖに昇圧し、０Ｖと＋１５Ｖの２値のＤＣ電圧を電子ペーパー２００に印加して駆動する。ドライバＩＣ６０は、上述した現画像情報と新画像情報とを記憶するための不図示のバッファを有する。バッファには、現画像情報を記憶する旧画像バッファと、新画像情報を記憶する新画像バッファがある。ドライバＩＣ６０は、コントローラ機能によって、バッファに記憶された現画像情報と新画像情報とを比較する。ドライバＩＣ６０は、ここでの比較により、各画素について、（１）白から黒に変化するのか、（２）黒から白に変化するのか、（３）白のまま変化しないのか、（４）黒のまま変化しないのかを判定し、その判定結果に応じた駆動信号を所定期間（例えば、５００ｍｓ等）出力する。
【００２０】
放電回路８０は、上述したように、コンデンサ３０に蓄積された電力をＧＮＤ９０に放電する。通常は、トランジスタ回路として構成され、放電と非放電とを制御できるようになっているが、放電回路８０の構成は上記のものに限られない。制御部４０は、ドライバＩＣ６０による電子ペーパー２００への駆動が終了した後に、放電回路８０に電力の放電を指示する。
リセット回路７０は、コンデンサ３０に蓄積された電力の電圧が所定値以上の場合に、制御部４０を動作させる。具体的には、制御部４０は、初期状態ではリセットの状態になっており、動作していない。リセット回路７０は、制御部４０のＣＰＵにリセット解除信号を出力することで、制御部４０のリセットを解除し、動作を開始させる。
上述した放電回路８０に放電させるタイミング等についての詳細は後述する。
【００２１】
図２は、電子ペーパー２００の動作原理を説明するための断面図である。図２には、上電極２１０、下電極２２０、マイクロカプセル２３０、白粒子２４０、黒粒子２５０、オイル等の透明溶媒２６０が示されている。
図２に示されるように、電子ペーパー２００は、直径約４０μｍのマイクロカプセル２３０の透明溶媒２６０の中に、負で永久帯電した白粒子２４０と、正で永久帯電した黒粒子２５０が入っている。上電極２１０は透明電極である。下電極２２０は、金属箔等で形成したセグメントごとに設けられた画素電極である。
【００２２】
上電極２１０に＋１５Ｖの電圧を印加すると、負に帯電した白粒子が上側に移動し、正に帯電した黒粒子が下側に移動するので、視認側（矢印Ａの方向）から見ると白く見える。下電極２２０に＋１５Ｖの電圧を印加すると、負に帯電した白粒子が下側に移動し、正に帯電した黒粒子が上側に移動するので、視認側から見ると黒く見える。
その後、印加電圧を０Ｖにしても、粒子同士、粒子とマイクロカプセル界面との分子間力により、電子ペーパー２００は、その状態を保持し、同じ色を表示し続ける。
【００２３】
図３は、ドライバＩＣ６０が出力する駆動信号の波形を示す図である。図３（ａ）は、上電極２１０及び下電極２２０に印加される駆動信号の波形を示す図である。図３（ａ）において、「ＴＰ」は、上電極への駆動信号の波形を示している。「ＢＢ」は、現在表示されている色が黒で、新たな画像においても黒で表示されるセグメントへの駆動信号の波形を示している。「ＢＷ」は、現在表示されている色が黒で、新たな画像において白で表示されるセグメントへの駆動信号の波形を示している。「ＷＢ」は、現在表示されている色が白で、新たな画像において黒で表示されるセグメントへの駆動信号の波形を示している。「ＷＷ」は、現在表示されている色が白で、新たな画像においても白で表示されるセグメントへの駆動信号の波形を示している。
【００２４】
このように、ドライバＩＣ６０は、所定期間において、２値（０Ｖと、＋１５Ｖ）の電圧が交互に印加されるように２値駆動信号を出力する。本実施形態において、２値が切り替えられる回数は、１秒間に６０回以上としている。すなわち一方の電圧が連続して印加される期間は、約１６．７ｍ秒以下としている。これにより、画像の切り替え時に生じるちらつきを抑制することができる。
【００２５】
ドライバＩＣ６０から、上電極２１０及び下電極２２０に正の電圧が印加されるため、各セグメントに印加される電圧は、「ＴＰ」に示される駆動信号と「ＢＢ」、「ＢＷ」、「ＷＢ」、「ＷＷ」とを合成したものとなる。
図３（ｂ）は、合成された駆動信号の波形を示す図である。図３（ｂ）に示される駆動信号の波形は、上電極２１０をＧＮＤとしたときの波形である。合成後、色の変化がないセグメントには、「ＢＢ」と「ＷＷ」に示されるように、結果的に０Ｖの電圧が印加される。
【００２６】
一方、黒から白に変化するセグメントには、「ＢＷ」に示されるように、０Ｖと−１５Ｖの電圧が交互に印加される。下電極２２０に負の電圧が印加されるため、負に帯電した白粒子が上側に移動し、正に帯電した黒粒子が下側に移動するので、視認側から見ると白く見える。
白から黒に変化するセグメントには、「ＷＢ」に示されるように、０Ｖと１５Ｖの電圧が交互に印加される。下電極２２０に正の電圧が印加されるため、負に帯電した白粒子が下側に移動し、正に帯電した黒粒子が上側に移動するので、視認側から見ると黒く見える。
【００２７】
本実施形態では、図３の駆動波形に示されるように、所定期間において、ＤＣバランスを保つように電圧が印加される。これは、ＤＣバランスが保たれないと、電子ペーパーの寿命が低下したり、電子ペーパーに焼き付きが生じたりするためである。
【００２８】
なお、従来は、２から６ステージで駆動を行っていた。２ステージでの駆動の場合には、駆動時間を前半と後半の２ステージに分けて、例えば、上電極２１０には前半は１５Ｖの電圧を印加し続け、後半は０Ｖとする方法で駆動が行われていた。また、例えば「ＢＷ」の場合には、前半に−１５Ｖの電圧を印加し続け、後半は０Ｖとする方法で駆動が行われていた。その結果、画面切り替え時には、ちらつきが生じるという問題があった。そこで、本実施形態のように、所定期間において、２値の電圧が交互に印加されるように２値駆動信号を出力することで、画面切り替え時のちらつきを抑制することができる。１ステージの時間を１６．７ｍｓ以下とすることにより、好適に画面切り替え時のちらつきを抑制することができる。
【００２９】
図４は、新たな画像への切り替え例を示す図である。この切り替え例は、電子ペーパー２００として、数字やアイコンを示すセグメント型電子ペーパーを用いた場合に、７セグタイプの画像「２」が表示されている状態から新たな画像「５」への切り替える例を示している。なお、上述したように、本実施形態において、スイッチ１０を１回操作した場合には、「２」から「３」に切り替わるが、ここでは分かりやすくするために「２」から「５」に切り替わる例を用いている。
「２」から「５」に切り替える場合、領域３３０、３４０は変化しない。領域３３０は白から白であるため、上述した「ＷＷ」の波形の駆動信号が印加される。領域３４０は黒から黒であるため、「ＢＢ」の波形の駆動信号が印加される。
【００３０】
一方、領域３１０、３２０は変化する。領域３１０は黒から白に変化するため、「ＢＷ」の波形の駆動信号が印加される。領域３１０は白から黒に変化するため、「ＷＢ」の波形の駆動信号が印加される。
所定期間それぞれの領域に上述した駆動信号が印加されると、領域３１０は黒から白に徐々に変化し、白となり、領域３２０は白から黒に徐々に変化し、黒となることで、画像が「５」に切り替わる。
【００３１】
図５は、駆動装置１００により行われる駆動処理の一例を示すフローチャートである。スイッチ１０が操作されることにより、発電部２０が発電し、電力を供給する（ステップＳ１０１）。この電力の電圧が、制御部４０が安定して駆動可能な電圧（例えば、１．７Ｖ）を超えることにより、リセット回路７０が起動し、制御部４０にリセット解除信号を出力する（ステップＳ１０２）。リセット回路７０の起動と同時に、制御部４０が起動し（ステップＳ１０３）、ドライバＩＣ６０が起動する（ステップＳ１０４）。ドライバＩＣ６０の起動時には、初期設定として、動作クロック、駆動波形デ−タ、昇圧回路の消電モ−ド等、各種レジスタの初期値が入力される。
【００３２】
制御部４０は、不揮発性メモリ５０から、現画像情報を取得する（ステップＳ１０５）。制御部４０は、取得した現画像情報をドライバＩＣ６０の新画像バッファに入力する（ステップＳ１０６）。ドライバＩＣ６０は、新画像バッファに入力された現画像情報を旧画像バッファに記憶する（ステップＳ１０７）。新画像バッファのデータを旧画像バッファに記憶するためのシフトコマンドをもっていないドライバＩＣの場合には、ダミー駆動を行う。ダミー駆動の場合は、実際には駆動信号は出力されない。
【００３３】
制御部４０は、スイッチ１０が押されたことに応じて取得した新画像情報をドライバＩＣ６０の新画像バッファに入力する（ステップＳ１０８）。新画像バッファに新画像情報が入力されることにより、それまで新画像バッファに記憶されていた現画像情報が新画像情報に上書きされる。制御部４０は、新画像情報を不揮発性メモリ５０に記憶する（ステップＳ１０９）。制御部４０が、ドライバＩＣ６０に駆動信号の出力を指示することで、現画像情報と新画像情報とに応じた駆動信号が出力される（ステップＳ１１０）。駆動信号は、旧画像バッファに記憶される現画像情報と新画像バッファに記憶される新画像情報とを比較することにより決定される。駆動信号が出力されると、制御部４０は、新画像バッファに記憶されている新画像情報を、旧画像バッファにコピーする（ステップＳ１１１）。制御部４０は、ドライバＩＣ６０から、駆動信号の出力中であることを示すＢＵＳＹが出力されているかをチェックする（ステップＳ１１２）。
制御部４０は、ドライバＩＣ６０からのＢＵＳＹ出力が終了したか否かを判定する（ステップＳ１１３）。ドライバＩＣ６０からのＢＵＳＹ出力が終了していない場合には（ステップＳ１１３：ＮＯ）、再びステップＳ１１２でドライバＩＣ６０からＢＵＳＹが出力されているかがチェックされる。ドライバＩＣ６０からのＢＵＳＹ出力が終了した場合には（ステップＳ１１３：ＹＥＳ）、ドライバＩＣ６０は停止し（ステップＳ１１４）、制御部４０は放電回路８０に電力の放電を指示し（ステップＳ１１５）、本処理を終了する。その後、図６で説明するように、制御部４０は、リセット回路７０により動作を終了させられる。
【００３４】
以上説明した処理に示されるように、制御部４０は、供給される電力の電圧が１．７Ｖになったことをトリガーに、リセット回路７０がリセット解除信号を出力することで動作を開始し、上記ステップＳ１１５の放電を指示する処理で、制御部４０の処理が終了する。
自己発電による発電の場合、発電部２０からの電力供給の開始直後においては、電圧の上昇が不安定になることがあり、制御部４０のＣＰＵの動作が不安定になったり、暴走したりするおそれがある。そこで、リセット回路７０を設けて、コンデンサ３０から供給される電圧が安定な動作を行うのに必要な所定値以上になってからリセット解除信号を出力するようにすることにより、制御部４０を安定して確実に動作を開始させることができる。また、制御部４０は、一度処理が終了すると、リセットの状態になるまでは次の処理を行わない。これにより、書き換え終了後であってコンデンサ３０から供給される電圧が不安定な場合でも、誤表示を好適に抑制することができる。また、放電回路８０を設けて、電子ペーパー２００の書き換え終了後に、コンデンサ３０から供給される電力の電圧を速やかに所定値以下にまで電圧を降下させることにより、制御部４０を短時間でリセットの状態にすることができる。これにより、書き換え終了後に再度スイッチ１０が押された場合でも、素早く書き換え処理を開始することができるようになる。このことを図６を用いて詳細に説明する。
【００３５】
図６は、発電部２０による発電が行われてから、コンデンサ３０に蓄積された電力が放電されるまでのタイミングチャートを示す図である。図６に示される「発電部」は、発電部２０が発電し、コンデンサ３０に蓄積された電力の電圧を示す。「リセット回路」は、リセット回路７０から制御部４０に供給される電力の電圧を示す。「制御部」は、制御部４０が動作しているか否かを示す。「ドライバＩＣ」は、ドライバＩＣ６０が動作しているか否かを示す。「放電回路」は、放電回路８０が動作しているか否かを示す。
なお、図６に示される電圧１．７Ｖは、制御部４０及びドライバＩＣ６０が正常に動作可能な電圧の一例である。また、３．５Ｖは発電部２０が発電可能な電圧の一例である。従って、電圧１．７Ｖ及び３．５Ｖは、制御部４０、ドライバＩＣ６０、及び発電部２０など装置構成により定まる値である。
【００３６】
まず、時刻Ｔ１でスイッチ１０が操作されることにより、発電部２０は発電を開始する。発電部２０により発電された電力は、コンデンサ３０に蓄積され、蓄積された電圧が１．７Ｖになった時刻Ｔ２において、リセット回路７０がリセット解除信号を制御部４０に出力することにより、制御部４０は起動し、動作を開始する。
次いで、電圧が３．５Ｖになった時刻Ｔ３において、制御部４０は、ドライバＩＣ６０に電子ペーパー２００の駆動を指示する。これにより、ドライバＩＣ６０は電子ペーパー２００の駆動を開始する。これに伴い、数十マイクロアンペアから数百マイクロアンペアの電流が流れるため、徐々に発電部の電圧は低下していく。ドライバＩＣ６０が時刻Ｔ４まで電子ペーパー２００を駆動することで、電子ペーパー２００に新たな画像が表示される。本実施形態では３．５Ｖになった時点で、制御部４０がドライバＩＣ６０へ駆動の指示をしているが、これは安定に動作するために十分な余裕を持たせるために設計しているものであり、指示を行う際の電圧は、ドライバＩＣ６０が駆動するのに必要な電圧以上であれば３．５Ｖ以下でも構わない。実際には、電圧を測定して駆動の指示を行うのではなく、電圧が３．５Ｖとなるように適切な待ち時間を設定して、時刻Ｔ３を決めても構わない。
【００３７】
時刻Ｔ５において、制御部４０は、放電回路８０に電力の放電を指示する。放電回路８０は、時刻Ｔ５から時刻Ｔ６まで電力を放電する。この放電により、電圧は急激に低下する。そして、電圧が１．７Ｖまで低下すると、リセット回路７０は、制御部４０に対するリセット解除信号の出力を停止する。これにより、制御部４０は動作を停止する。また同時に、放電回路８０の放電も停止するので、時刻Ｔ６以降の発電部の電圧は、急激にではなく徐々に低下していくことになる。
【００３８】
放電回路８０を備えていない駆動装置の場合には、制御部４０のＣＰＵが停止する電圧に自然に下がるまで、再びスイッチ１０が操作されたとしても、制御部４０は初期化動作を実行することができず、次の操作が有効になるまで非常に時間を要することとなり、使い勝手が低下する。
そこで、本実施形態のように、放電回路８０により電力を放電することで、次の操作が有効になるまで時間を非常に短縮することができるため、使い勝手を向上させることができる。放電回路８０の構成としては、トランジスタを用いてオンオフ制御することでＧＮＤに放電することが考えられるが、この構成に限られるものではない。
【００３９】
以上説明したように、本実施形態に係る駆動装置は、電子表示媒体（例えば、電子ペーパー２００）を駆動する駆動装置（例えば、駆動装置１００）であって、前記駆動装置を制御する制御部（例えば、制御部４０）と、電力を発電する自己発電部（例えば、発電部２０）と、前記自己発電部によって発電された電力を蓄積して前記駆動装置に電力を供給する蓄電部（例えば、コンデンサ３０）と、前記蓄電部により蓄積された電力の電圧が所定値（例えば、１．７Ｖ）まで上昇した場合に、前記制御部のリセットを解除して動作を開始させるリセット部（例えば、リセット回路７０）と、前記制御部からの指示により、前記電子表示媒体を駆動する駆動部（例えば、ドライバＩＣ６０）と、を有する。
【００４０】
この構成によれば、駆動装置の誤動作をより確実に抑制可能となる。
【００４１】
また、本実施形態に係る駆動装置は、前記駆動部による前記電子表示媒体への駆動が終了した後に、前記制御部からの指示により（例えば、ステップＳ１１５）、前記蓄電部に蓄積された電力を放電する放電部（例えば、放電回路６０）を有する。
【００４２】
この構成によれば、駆動装置の誤動作を抑制可能となるとともに、次の電子表示媒体の書き換えまでの待機時間を短縮し、使い勝手を向上させることができる。
【００４３】
また、本実施形態に係る駆動装置は、前記蓄電部により蓄積された電力の電圧が所定値（例えば、１．７Ｖ）まで上昇した場合に、前記制御部のリセットを解除して動作を開始させるリセット部（例えば、リセット回路７０）を有する。
【００４４】
また、本実施形態に係る駆動装置は、前記駆動部は、２値駆動信号（例えば、０Ｖと＋１５Ｖ）を所定期間（例えば、５００ｍｓ）出力することによって前記電子表示媒体を駆動し、前記所定期間において、２値の電圧が交互に印加されるように２値駆動信号を出力する（例えば、図３に示される駆動波形）。
【００４５】
この構成によれば、画像の切り替え時に生じるちらつきを抑制することができる。
【００４６】
なお、上述した実施形態では、一例として２値駆動を用いたが、３値駆動を用いるようにしてもよい。この場合、上電極２１０をＧＮＤとし、下電極２２０に−１５Ｖ、０Ｖ、１５Ｖを印加するようにしてもよい。また、駆動の電圧は−１５Ｖや＋１５Ｖに限られるものではなく、用いるドライバＩＣや電子表示媒体により、他の電圧としてもよい。ただし、２値駆動のドライバＩＣを用いることにより、ドライバＩＣの駆動電流を、３値駆動のドライバＩＣより小さくでき、より好ましい。
【００４７】
また、上述した実施形態では、電子表示媒体としてセグメント型のマイクロカプセル方式電子ペーパーを用いたが、電力が供給されない状態でも表示画像を保持することができるメモリー性を備えた表示媒体であれば特に限定されるものではなく、他にも例えば、マイクロカップ型電子ペーパーやツイストボール型電子ペーパーを用いてもよく、ドットマトリクス型の電子ペーパーを用いてもよい。
【００４８】
ただし、セグメント型の電子ペーパーを用いることにより、回路構成や駆動方法が単純になり、書換えに必要な電力が少なくて済むので、低消費電力の表示デバイスを実現することができる。特に、本発明のように自己発電により電力を得る場合には、大きな電力を得られるとは限らないため、低消費電力の表示デバイスとすることにより、小さな電力でも表示を安定して書き換えることができ、誤表示を好適に抑制することができ、より好ましい。
【００４９】
また、電子ペーパーの表示色は白と黒に限られるものではない。例えば、白と赤や、白と青、白と緑とすることや、白と黒と赤、白と黒と黄色のように３色とすることも考えられる。
【００５０】
また、上述した実施形態では、操作部が１つのスイッチである場合について説明したが、複数のスイッチを備えるようにし、どのスイッチが何回押されたのかを表示するようにしてもよい。
【００５１】
また、駆動装置がさらに通信装置を備えるようにし、自己発電により発生した電力で表示装置を駆動するのみならず、通信装置を駆動し、電子表示媒体の表示状態に応じた情報を、受信装置を備える別の装置に送信してもよい。
【００５２】
なお、上述した機能の一部又は全部を、ＬＳＩ（Large Scale Integration）等の集積回路として実現してもよい。上述した各機能は個別にプロセッサ化してもよいし、一部、又は全部を集積してプロセッサ化してもよい。また、集積回路化の手法はＬＳＩに限らず専用回路、又は汎用プロセッサで実現してもよい。また、半導体技術の進歩によりＬＳＩに代替する集積回路化の技術が出現した場合、当該技術による集積回路を用いてもよい。
【符号の説明】
【００５３】
１０  スイッチ
２０  発電部
３０  コンデンサ
４０  制御部
５０  不揮発性メモリ
６０  ドライバＩＣ
７０  リセット回路
８０  放電回路
１００  駆動装置
２００  電子ペーパー
【図１】
2018189918.tif 000003
【図２】
2018189918.tif 000004
【図３】
2018189918.tif 000005
【図４】
2018189918.tif 000006
【図５】
2018189918.tif 000007
【図６】
2018189918.tif 000008